(57)【要約】【課題】装置は設置後などに状態確認の作業を必要とするが、確認を容易化するべく表示能力の高いディスプレイを搭載するとサイズが大きくなってしまう。また、装置にパソコンなどの端末を接続して状態情報を表示させることも考えられるが、装置が高所や狭い隙間に設置される場合には接続が困難である。【解決手段】複数種類の状態の状態情報を記憶する記憶部と、ユーザによる切り替え操作が入力されたことに応じて、複数種類の状態のうち出力対象の状態を切り替える切替部と、出力対象の状態の種類を識別させるための第１インジケーションを出力する識別情報出力部と、出力対象の状態の状態情報を出力する状態情報出力部と、を備える装置が提供される。【選択図】図１
2020021247.tif 000002
【特許請求の範囲】
【請求項１】
複数種類の状態の状態情報を記憶する記憶部と、
ユーザによる切り替え操作が入力されたことに応じて、前記複数種類の状態のうち出力対象の状態を切り替える切替部と、
前記出力対象の状態の種類を識別させるための第１インジケーションを出力する識別情報出力部と、
前記出力対象の状態の状態情報を出力する状態情報出力部と、
を備える装置。
【請求項２】
前記識別情報出力部は、
光、音または振動を発生する少なくとも１つの第１発生源と、
前記第１発生源を前記第１インジケーションに対応するパターンで動作させる第１制御部と、
を有する、請求項１に記載の装置。
【請求項３】
前記状態情報出力部は、
光、音または振動を発生する少なくとも１つの第２発生源と、
前記第２発生源を前記出力対象の状態の状態情報に応じた第２インジケーションに対応するパターンで動作させる第２制御部と
を有する、請求項２に記載の装置。
【請求項４】
前記識別情報出力部は、単一の前記第１発生源を有し、
前記状態情報出力部は、単一の前記第２発生源を有し、
前記第１制御部は、前記第１発生源を前記第１インジケーションに対応する時系列パターンで動作させ、
前記第２制御部は、前記第２発生源を前記第２インジケーションに対応する時系列パターンで動作させる、請求項３に記載の装置。
【請求項５】
前記状態情報出力部および前記識別情報出力部は、ユーザによる操作が予め定められた第１基準時間の間に入力されないことに応じて出力を終了する、請求項１から４のいずれか一項に記載の装置。
【請求項６】
ユーザによる操作を受ける単一のスイッチと、
前記スイッチに第２基準時間以上継続する操作が入力されたことに応じて、電力供給のオンオフを切り替える電源部とを更に備え、
前記切替部は、前記スイッチに前記第２基準時間未満の前記切り替え操作が入力されたことに応じて前記出力対象の状態を切り替える、請求項１から５のいずれか一項に記載の装置。
【請求項７】
前記複数種類の状態はそれぞれ、当該装置と、当該装置に接続される機器との少なくとも一方の状態である、請求項１から６のいずれか一項に記載の装置。
【請求項８】
前記機器は、センサ、アクチュエータ、入力ポート、出力ポート、入出力ポート、およびユーザインターフェイスの少なくとも１つを有するアプリケーションモジュールであり、
当該装置は、
前記アプリケーションモジュールが有するアプリケーションモジュール側通信コネクタに着脱可能に接続されるインターフェイスモジュール側通信コネクタと、
ネットワークに接続されるネットワークインターフェイスと、
を有するインターフェイスモジュールである、請求項７に記載の装置。
【請求項９】
複数種類の状態の状態情報を記憶する記憶段階と、
ユーザによる切り替え操作が入力されたことに応じて、前記複数種類の状態のうち出力対象の状態を切り替える切替段階と、
前記出力対象の状態の種類を識別させるための第１インジケーションを出力する識別情報出力段階と、
前記出力対象の状態の状態情報を出力する状態情報出力段階と、
を備える方法。
【請求項１０】
コンピュータを、
複数種類の状態の状態情報を記憶する記憶部と、
ユーザによる切り替え操作が入力されたことに応じて、前記複数種類の状態のうち出力対象の状態を切り替える切替部と、
前記出力対象の状態の種類を識別させるための第１インジケーションを出力する識別情報出力部と、
前記出力対象の状態の状態情報を出力する状態情報出力部
として機能させるプログラム。
【発明の詳細な説明】
【技術分野】
【０００１】
本発明は、装置、方法およびプログラムに関する。
【背景技術】
【０００２】
近年、モノのインターネット（ＩｏＴ）および産業用ＩｏＴ（ＩＩｏＴ）が注目されており、センサなどの多数の装置を分散配置して測定・監視等を行うシステムのクラウド化が進められている。例えば、特許文献１は、工業アプリケーションにおけるクラウドコンピューティングの使用に関連するシステムおよび方法を開示する。
特許文献１  特表２０１２−５２３０３８号公報
【発明の概要】
【発明が解決しようとする課題】
【０００３】
装置は設置後などに現場で動作などの状態の確認作業を必要とするが、確認を容易化するべく表示能力の高いディスプレイを装置に搭載すると装置が大型化してしまう。また、装置にパソコンなどの端末を接続して状態情報を表示させることも考えられるが、装置が高所や狭い隙間に設置される場合には接続が困難である。
【課題を解決するための手段】
【０００４】
上記課題を解決するために、本発明の第１の態様においては、装置が提供される。装置は、複数種類の状態の状態情報を記憶する記憶部を備えてよい。装置は、ユーザによる切り替え操作が入力されたことに応じて、複数種類の状態のうち出力対象の状態を切り替える切替部を備えてよい。装置は、出力対象の状態の種類を識別させるための第１インジケーションを出力する識別情報出力部を備えてよい。装置は、出力対象の状態の状態情報を出力する状態情報出力部を備えてよい。
【０００５】
識別情報出力部は、光、音または振動を発生する少なくとも１つの第１発生源を有してよい。識別情報出力部は、第１発生源を第１インジケーションに対応するパターンで動作させる第１制御部を有してよい。
【０００６】
状態情報出力部は、光、音または振動を発生する少なくとも１つの第２発生源を有してよい。状態情報出力部は、第２発生源を出力対象の状態の状態情報に応じた第２インジケーションに対応するパターンで動作させる第２制御部を有してよい。
【０００７】
識別情報出力部は、単一の第１発生源を有してよい。状態情報出力部は、単一の第２発生源を有してよい。第１制御部は、第１発生源を第１インジケーションに対応する時系列パターンで動作させてよい。第２制御部は、第２発生源を第２インジケーションに対応する時系列パターンで動作させてよい。
【０００８】
状態情報出力部および識別情報出力部は、ユーザによる操作が予め定められた第１基準時間の間に入力されないことに応じて出力を終了してよい。
【０００９】
装置は、ユーザによる操作を受ける単一のスイッチを更に備えてよい。装置は、スイッチに第２基準時間以上継続する操作が入力されたことに応じて、電力供給のオンオフを切り替える電源部を更に備えてよい。切替部は、スイッチに第２基準時間未満の切り替え操作が入力されたことに応じて出力対象の状態を切り替えてよい。
【００１０】
複数種類の状態はそれぞれ、当該装置と、当該装置に接続される機器との少なくとも一方の状態であってよい。
【００１１】
機器は、センサ、アクチュエータ、入力ポート、出力ポート、入出力ポート、およびユーザインターフェイスの少なくとも１つを有するアプリケーションモジュールであってよい。当該装置は、インターフェイスモジュールであってよい。インターフェイスモジュールは、アプリケーションモジュールが有するアプリケーションモジュール側通信コネクタに着脱可能に接続されるインターフェイスモジュール側通信コネクタを有してよい。インターフェイスモジュールは、ネットワークに接続されるネットワークインターフェイスを有してよい。
【００１２】
本発明の第２の態様においては、方法が提供される。方法は、複数種類の状態の状態情報を記憶する記憶段階を備えてよい。方法は、ユーザによる切り替え操作が入力されたことに応じて、複数種類の状態のうち出力対象の状態を切り替える切替段階を備えてよい。方法は、出力対象の状態の種類を識別させるための第１インジケーションを出力する識別情報出力段階を備えてよい。方法は、出力対象の状態の状態情報を出力する状態情報出力段階を備えてよい。
【００１３】
本発明の第３の態様においては、プログラムが提供される。プログラムは、コンピュータを、複数種類の状態の状態情報を記憶する記憶部として機能させてよい。プログラムは、コンピュータを、ユーザによる切り替え操作が入力されたことに応じて、複数種類の状態のうち出力対象の状態を切り替える切替部として機能させてよい。プログラムは、コンピュータを、出力対象の状態の種類を識別させるための第１インジケーションを出力する識別情報出力部として機能させてよい。プログラムは、コンピュータを、出力対象の状態の状態情報を出力する状態情報出力部として機能させてよい。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】本実施形態に係るシステム１を示す。
【図２】本実施形態に係るネットワークデバイス６を示す分解斜視図である。
【図３】第１インジケーションおよび第２インジケーションの出力パターンを示す。
【図４】インターフェイスモジュール６１の動作を示す。
【図５】７セグメントディスプレイ８を示す。
【図６】本発明の複数の態様が全体的または部分的に具現化されてよいコンピュータ２２００の例を示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
［１．システム１］
図１は、本実施形態に係るシステム１を示す。システム１は、ネットワーク２と、基盤システム３と、端末４と、ゲートウェイ５と、複数のネットワークデバイス６とを備える。
【００１８】
［１−１．ネットワーク２］
ネットワーク２は、基盤システム３、端末４、およびネットワークデバイス６の間を無線または有線により接続する。ネットワーク２は、インターネット、ワイドエリアネットワーク、またはローカルエリアネットワーク等であってよく、携帯回線網を含んでもよい。
【００１９】
［１−３．基盤システム３］
基盤システム３は、ネットワークシステムにおいて複数のネットワークデバイス６を制御するクラウドコンピュータ等として機能する。基盤システム３は、センサ等を搭載した１または複数のネットワークデバイス６からセンスデータを取得して、端末４を介してユーザまたは監視者等に情報を提示するインターフェイスを提供し、及び／又は、センスデータに応じて制御演算を行って、アクチュエータ等を搭載したネットワークデバイス６を制御する等の情報処理を行う。また、基盤システム３は、端末４を介してユーザ等がネットワークデバイス６からのデータやネットワークデバイス６に送信するデータの処理を行うアプリケーションを作成するアプリケーション環境を提供する。基盤システム３は、クラウドコンピューティングシステム等であってよく、１または複数のサーバコンピュータ等によって実現されるサーバコンピューティングシステムであってよい。
【００２０】
［１−４．端末４］
端末４は、複数のネットワークデバイス６を接続したネットワークシステムのユーザが使用する端末である。端末４は、ＰＣ（パーソナルコンピュータ）、タブレット型コンピュータ、スマートフォン、ワークステーション、サーバコンピュータ、または汎用コンピュータ等のコンピュータであってよく、複数のコンピュータが接続されたコンピュータシステムであってもよい。端末４は、ネットワーク２を介して基盤システム３に接続され、基盤システム３が提供するサービスを利用するために用いられる。
【００２１】
［１−５．ゲートウェイ５］
ゲートウェイ５は、プロトコル変換を行って複数のネットワークデバイス６をネットワーク２に接続する。ゲートウェイ５はシステム１に具備されなくてもよい。
【００２２】
［１−６．ネットワークデバイス６］
ネットワークデバイス６は、ネットワーク２に接続されるセンサなどのデバイスであり、アプリケーションモジュール６０と、インターフェイスモジュール６１とを有する。
【００２３】
アプリケーションモジュール６０およびインターフェイスモジュール６１は、アプリケーションモジュール６０が有する通信コネクタ６００と、インターフェイスモジュール６１が有する通信コネクタ６１０とによって着脱可能に接続される。通信コネクタ６００，６１０の間の通信プロトコルはシリアル通信のプロトコルでよく、一例としてＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いてＡＴコマンドなどを通信してよい。
【００２４】
［１−６−１．アプリケーションモジュール６０］
アプリケーションモジュール６０は、機器の一例であり、センサ、アクチュエータ、入力ポート、出力ポート、入出力ポート、およびユーザインターフェイスの少なくとも１つを有する。センサは、例えば温度センサ、湿度センサ、流速センサ、水位センサ、圧力センサ、電圧センサ、電流センサ等の物理量を測定するセンサであってよい。アプリケーションモジュール６０は、２以上のセンサを備えてもよい。アクチュエータは、例えばファンやモータ等であってよい。入力ポート、出力ポート、および入出力ポートは、他の機器に接続されてよく、一例としてＵＳＢポートであってよい。アプリケーションモジュール６０は、入力ポート、出力ポート、および入出力ポートの少なくとも１つを有する場合には、中継モジュールであってもよい。アプリケーションモジュール６０に接続される他の機器は、設備内の状況や対象物を撮影するカメラやビデオ等の撮像機器、機器などに貼付されたバーコードまたは２次元コード（一例としてＱＲコード（登録商標））の読み取り機器、設備内の異音等を収集したり警報音等を発したりするマイクやスピーカ等の音響機器、および、各機器の位置情報を出力する位置検出機器などの少なくとも１つでよい。ユーザインターフェイスは、リモートコントローラ、ランプ、および表示装置等であってよい。なお、アプリケーションモジュール６０は、時計機能を有する時計部、入出力を行うためのユーザインターフェイス部、および、各機能部に電力供給を行う電源部の少なくとも１つをさらに有してもよい。
【００２５】
［１−６−２．インターフェイスモジュール６１］
インターフェイスモジュール６１は、自身に接続されたアプリケーションモジュール６０をネットワークに接続させる。インターフェイスモジュール６１は複数種類のアプリケーションモジュール６０のそれぞれと択一的に接続可能でよい。インターフェイスモジュール６１は、装置の一例であり、電源部６１１と、通信部６１２と、記憶部６１３と、ネットワークインターフェイス６１４と、切替部６１５と、識別情報出力部６１６と、状態情報出力部６１７と、スイッチ６１８とを有する。
【００２６】
［１−６−２（１）．電源部６１１］
電源部６１１は、インターフェイスモジュール６１に電力を供給する。電源部６１１は、バッテリを有してよい。電源部６１１は、通信コネクタ６００，６１０を介してアプリケーションモジュール６０にも電力を供給してよい。
【００２７】
［１−６−２（２）．通信部６１２］
通信部６１２は、アプリケーションモジュール６０と通信可能に接続されて、アプリケーションモジュール６０の機能に応じた通信を行う。例えば、通信部６１２は、センサモジュールであるアプリケーションモジュール６０に接続された場合に、そのセンサから信号を受信してセンスデータに変換する。一例として、通信部６１２は、センサから入力されるアナログ信号をデジタル信号に変換してセンスデータを得る。また、通信部６１２は、アクチュエータモジュールであるアプリケーションモジュール６０に接続された場合に、アクチュエータを駆動させる制御信号を送信する。制御信号はネットワークインターフェイス６１４を介して基盤システム３等から供給されてよい。また、通信部６１２は、中継モジュールであるアプリケーションモジュール６０に接続された場合に、アプリケーションモジュール６０に対する送受信の少なくとも一方を行う。
【００２８】
［１−６−２（３）．記憶部６１３］
記憶部６１３は、通信部６１２が受信したデータ（一例としてセンサモジュールであるアプリケーションモジュール６０からのセンスデータ）、または、通信部６１２が送信するデータ（一例としてアクチュエータモジュールであるアプリケーションモジュール６０に対する制御データ）を記憶する。例えば、記憶部６１３は、センサモジュールであるアプリケーションモジュール６０から受信したセンスデータをバッファリングしてよい。
【００２９】
また、記憶部６１３は、複数種類の状態についての状態情報を記憶する。複数種類の状態はそれぞれ、インターフェイスモジュール６１と、アプリケーションモジュール６０との少なくとも一方の状態であってよい。一例として、複数種類の状態は、インターフェイスモジュール６１およびアプリケーションモジュール６０の少なくとも一方についての電源のオンオフなどを含んでよい。各状態は、図示しない状態検出手段によって検出されて記憶部６１３に格納されてよい。
【００３０】
［１−６−２（４）．ネットワークインターフェイス６１４］
ネットワークインターフェイス６１４は、ネットワーク２に接続され、ネットワーク２を介して受信する要求等に応じて記憶部６１３をアクセスし、記憶部６１３内の情報を要求元へと提供する。また、ネットワークインターフェイス６１４は、記憶部６１３に各種のデータを書き込む。
【００３１】
［１−６−２（５）．切替部６１５］
切替部６１５は、スイッチ６１８に対してユーザによる切り替え操作が入力されたことに応じて、複数種類の状態のうち出力対象の状態を切り替える。例えば、切替部６１５は、切り替え操作が行われる毎に複数種類の状態における何れか１つの状態を順次、出力対象の状態として切り替えてよい。
【００３２】
［１−６−２（６）．識別情報出力部６１６］
識別情報出力部６１６は、出力対象の状態の種類を識別させるための第１インジケーションを出力する。ここで、インジケーションとは、指示、表示、暗示するものであり、例えば符号や信号や音、あるいは振動でよい。一例として、インジケーションは、数字、アルファベットなどの一文字でよい。識別情報出力部６１６は、単一の第１光源６１６０と、第１光源６１６０を第１インジケーションに対応する時系列パターンで発光させる第１制御部６１６１とを含んでよい。第１光源６１６０は、一例としてＬＥＤであってよく、赤色に発光してよい。
【００３３】
［１−６−２（７）．状態情報出力部６１７］
状態情報出力部６１７は、出力対象の状態の状態情報を出力する。状態情報出力部６１７は、出力対象の状態の状態情報に応じた第２インジケーションを出力してよい。状態情報出力部６１７は、単一の第２光源６１７０と、第２光源６１７０を第２インジケーションに対応する時系列パターンで発光させる第２制御部６１７１とを含んでよい。第２光源６１７０は、一例としてＬＥＤであってよく、第１光源６１６０と異なる色、例えば緑色に発光してよい。
【００３４】
［１−６−２（８）．スイッチ６１８］
スイッチ６１８は、ユーザによる操作を受ける。スイッチ６１８は、単一のスイッチでよい。スイッチ６１８は、基準時間（第２基準時間とも称する）以上継続する操作が入力されたことに応じて、電源部６１１からの電力供給のオンオフを切り替える。また、スイッチ６１８は、第２基準時間未満の切り替え操作が入力されたことに応じて切替部６１５に出力対象の状態を切り替えさせる。第２基準時間は一例として２秒などでよい。
【００３５】
ここで、スイッチ６１８は、ユーザの操作によって少なくとも２つの状態（一例としてオン状態（閉状態）およびオフ状態（開状態））の間で切り替えが行われてよい。スイッチ６１８は、押下やスライドなどの機械的な操作で状態が切り替わる機械的スイッチ（一例として押しボタン、スライドスイッチ、トグルスイッチまたは引張りスイッチなど）でもよいし、フォトダイオードなどを有し受光により状態が切り替わる光学的スイッチでもよいし、ホール素子、磁気抵抗素子またはリードスイッチなどを有し磁気の近接により状態が切り替わる磁気的スイッチでもよいし、トランジスタなどを有し電気信号の受信により状態が切り替わる電気的スイッチでもよいし、人体（一例として指部分）の接触により状態が切り替わる静電容量スイッチでもよいし、振動により状態が切り替わる振動スイッチでもよいし、マイクロフォンを有し空気振動（音）により状態が切り替わる音スイッチでもよいし、傾斜の変化により状態が切り替わる傾斜センサでもよい。スイッチ６１８が引張スイッチである場合には、ネットワークデバイス６が高所など、手の届きにくい箇所に設置されている場合であっても、長尺な紐などの操作手段と併用することで容易に操作を行うことができる。同様に、スイッチ６１８が光学的スイッチである場合にも、手の届きにくい箇所にネットワークデバイス６が設置されている場合に容易に操作を行うことができる。スイッチ６１８が磁気的スイッチである場合には、操作に磁石（一例として電磁石）が必要となるため、権限を有しない人により勝手に操作が行われるのを防止することができる。また、スイッチ６１８が電気的スイッチである場合には、例えば基盤システム３や端末４を介してスイッチ６１８を操作することができる。スイッチ６１８が静電容量スイッチである場合には、操作者によるタッチ操作のパターン（一例としてタップ、ダブルタップ、ロングタップ、フリック、ドラッグ、マルチタップ、ピンチなど）により操作内容が異なってよい。スイッチ６１８が振動センサである場合には、操作者がネットワークデバイス６を振動させる（一例として叩く）ことで操作が行われてよく、振動パターンで操作内容が異なってよい（例えば特定のパターンのみで操作が行われてよい）。スイッチ６１８が振動センサである場合には、手の届きにくい箇所にネットワークデバイス６が設置されている場合であっても、長尺な棒などの操作手段と併用することで容易に操作を行うことができる。スイッチ６１８が音スイッチである場合には、音声認識を行い、音声の内容に応じて操作内容が異なってもよいし、周波数や特定の音の発生パターンに応じて操作内容が異なってもよい（例えば特定の声紋や特定の音発生パターンのみで操作が行われてよい）。スイッチ６１８が音スイッチである場合には、手の届きにくい箇所にネットワークデバイス６が設置されている場合であっても容易に操作を行うことができる。
【００３６】
以上のシステム１によれば、出力対象の状態の状態情報と、出力対象の状態の種類を識別させるための第１インジケーションとが出力されるので、インターフェイスモジュール６１の出力能力が低い場合であっても現場で複数の状態の状態情報をそれぞれ確認させることができる。従って、出力対象の状態の種類の確認を容易化するべく表示能力の高いディスプレイをインターフェイスモジュール６１に搭載する場合と異なり、インターフェイスモジュール６１の大型化を防止し、製造コストや消費電力を低減することができる。また、インターフェイスモジュール６１にパソコンなどの端末を接続することなく状態を確認することができるため、確認を容易化することができる。
【００３７】
また、識別情報出力部６１６，状態情報出力部６１７は単一の第１光源６１６０，第２光源６１７０を有するので、複数の光源（例えば７セグメントディスプレイの光源）を有する場合と比較してインターフェイスモジュール６１のサイズや、製造コスト、消費電力をさらに低減することができる。また、第１インジケーションに対応するパターンで光が発生するので、出力対象の状態の種類を確実に確認させることができる。同様に、第２インジケーションに対応するパターンで光が発生するので、出力対象の状態の状態情報を確実に確認させることができる。
【００３８】
また、複数種類の状態はそれぞれ、インターフェイスモジュール６１と、アプリケーションモジュール６０との少なくとも一方の状態であるので、これらの少なくとも一方の状態情報を確認させることができる。
【００３９】
また、スイッチ６１８は第２基準時間以上継続する操作が入力されたことに応じて電源部６１１からの電力供給のオンオフを切り替え、第２基準時間未満の切り替え操作が入力されたことに応じて出力対象の状態を切り替えるので、単一のスイッチ６１８によって２種類のスイッチングを行うことができる。従って、２つのスイッチを設ける場合と比較して、インターフェイスモジュール６１を小型化することができる。
【００４０】
［２．ネットワークデバイス６］
図２は、本実施形態に係るネットワークデバイス６を示す分解斜視図である。ネットワークデバイス６のインターフェイスモジュール６１は、内部に各機能部を収容するケース６１００を有し、アプリケーションモジュール６０は、内部に各機能部を収容するケース６０００と、台座６００５および取付用タップ６００７とを有する。但し、台座６００５および取付用タップ６００７は必ずしもアプリケーションモジュール６０に具備されなくてもよい。
【００４１】
ケース６０００，６１００は、着脱可能に接続されて有線通信を可能とする通信コネクタ６００１，６１０１を有する。また、ケース６０００，６１００は、着脱可能に接続されてアプリケーションモジュール６０およびインターフェイスモジュール６１の間で電力供給を可能とする電源コネクタ６００２，６１０２を有する。電源コネクタ６００２，６１０２を介した電力供給はアプリケーションモジュール６０およびインターフェイスモジュール６１の間で何れの方向に行われてもよい。なお、本実施形態では一例として通信コネクタ６００１および電源コネクタ６００２を同一のコネクタとし、通信コネクタ６１０１および電源コネクタ６１０２を同一のコネクタとしてそれぞれ図示しているが、これらを別々のコネクタとしてもよい。
【００４２】
ケース６０００，６１００は互いに嵌合することでアプリケーションモジュール６０およびインターフェイスモジュール６１を接続する。本実施形態では一例として、ケース６０００における端部（図中、上側の端部）の開口部６００４にケース６１００における端部（図中、下側の端部）の突起部６１０４が嵌合する。開口部６００４の内周面，突起部６１０４の外周面にはそれぞれネジ山，ネジ溝が設けられてよい。これに加えて、またはこれに代えて、開口部６００４，突起部６１０４にはパッキンが設けられてもよい。ここで、本実施形態では一例として、アプリケーションモジュール６０およびインターフェイスモジュール６１を接続するとは、両者を電気的に接続することである。例えば、通信コネクタ６００１，６１０１および電源コネクタ６００２，６１０２はそれぞれケース６０００，６１００の接続面に設けられてよく、ケース６０００，６１００が互いに嵌合されることに応じて通信コネクタ６００１，６１０１同士、電源コネクタ６００２，６１０２同士がそれぞれ電気的に接続されてよい。これに加えて、またはこれに代えて、アプリケーションモジュール６０およびインターフェイスモジュール６１を接続するとは、両者を物理的に接続することでもよい。この場合には、一例として、アプリケーションモジュール６０，インターフェイスモジュール６１のユーザは、コネクタ同士を電気的に接続してから、ケース６０００，６１００を互いに嵌合させることでアプリケーションモジュール６０およびインターフェイスモジュール６１を物理的に接続してよい。
【００４３】
ケース６０００，６１００は、互いとの接続面の外周の形状が同一でよい。例えば、図２ではケース６０００，６１００はそれぞれ円筒形であり、接続面の外周形状がそれぞれ円形となっている。なお、外周の形状が同一であるとは、外周の形状が実質的に同一であること、例えば外周の少なくとも一部において形状が異なることを含んでもよい。
【００４４】
ここで、インターフェイスモジュール６１のケース６１００には、第１光源６１６０および第２光源６１７０が設けられており、スイッチ６１８が押しボタンとして設けられている。本図では一例として第１光源６１６０および第１光源６１６０はケース６１００の外面に設けられているが、ケース６１００が透光性を有する限りにおいて、ケース６１００の内部に設けられてもよい。
【００４５】
アプリケーションモジュール６０のケース６０００には、インターフェイスモジュール６１を介さずにアプリケーションモジュール６０と直接的に通信を行うための入出力コネクタ６００３が設けられている。入出力コネクタ６００３は一例としてＵＳＢポートでよい。入出力コネクタ６００３は、外部から電力供給を受けるための給電コネクタとして機能してもよい。入出力コネクタ６００３は、ケース６０００に加えて、または代えて、ケース６１００に設けられてもよい。
【００４６】
台座６００５は、アプリケーションモジュール６０のケース６０００におけるケース６１００とは反対側の面（図中、下側の面）に固定される。台座６００５は、取付用タップ６００７をケース６０００に固定するための部材であり、一例として中央部にネジ穴部６００６を有する。なお、台座６００５はケース６０００と一体的に設けられてもよい。
【００４７】
取付用タップ６００７は中央部に柱状のネジ部６００８を有しており、台座６００５のネジ穴部６００６にネジ部６００８を螺合させることでケース６０００に固定される。取付用タップ６００７は、ケース６０００、ひいてはネットワークデバイス６をその設置先に取り付けるための部材であり、台座６００５とは反対側の面（図中、下側の面）に取付面６２０を有する。取付面６２０には、ケース６０００を設置先に取り付けるためのマグネット６００９が設けられる。これに代えて、取付面６２０には、ケース６０００を設置先に取り付けるためのネジを挿通させるネジ穴部が設けられてもよいし、両面テープが貼り付けられてもよい。
【００４８】
［３．第１インジケーション，第２インジケーションの出力］
図３は、第１インジケーションおよび第２インジケーションの出力パターンを示す。
【００４９】
図中、「♯」の列は出力可能な状態の識別番号を示す。識別番号「０」に対応する「電源」の状態は、インターフェイスモジュール６１（またはアプリケーションモジュール６０）の電源がオンおよびオフのいずれであるかに関する状態である。識別番号「１」に対応する「バッテリ電圧」の状態は、電源部６１１による供給電圧が高いか低いかに関する状態である。識別番号「２」に対応する「ＵＳＢ給電」の状態は、入出力コネクタ（一例としてＵＳＢコネクタ）６００３を用いた給電がオンおよびオフのいずれであるかに関する状態である。識別番号「３」に対応する「動作状態」の状態は、インターフェイスモジュール６１（またはアプリケーションモジュール６０）の動作が正常であるか異常であるかに関する状態である。識別番号「４」に対応する「通信状態」の状態は、ネットワークインターフェイス６１４による通信がいずれのノードまで正常であるかに関する状態である。識別番号「５」〜「７」に対応する「予備」の状態は、現時点で割り当てが行われておらず、インターフェイスモジュール６１およびアプリケーションモジュール６０の少なくとも一方についての任意の状態に割り当て可能となっている。
【００５０】
識別情報出力部６１６および状態情報出力部６１７は、出力対象の状態の種類、および、状態情報に応じ、図３に示す時系列パターンで第１光源６１６０および第２光源６１７０を動作させてよい。本実施形態では一例として、第１光源６１６０および第２光源６１７０は１回の動作として単位時間（一例として２００ｍ秒）だけ継続して点灯または消灯する。各欄内に並ぶ丸記号はそれぞれ第１光源６１６０または第２光源６１７０による１回の動作の内容を示し、白丸によって消灯を、黒丸によって点灯を示している。丸記号は右側ほど後の動作（新しい動作）を示している。
【００５１】
識別情報出力部６１６は、第１光源６１６０を出力対象の状態の識別番号の回数だけ交互に点灯および消灯させることと、複数回（本実施形態では一例として２回）分だけ消灯させることとを繰り返し行う。これにより、第１インジケーションが出力されて、出力対象の状態の種類が識別可能となる。
【００５２】
状態情報出力部６１７は、出力対象の状態が「電源」の状態である場合には、電源がオンのときに点灯を維持し、電源がオフのときに消灯を維持する。状態情報出力部６１７は、出力対象の状態が「バッテリ電圧」の状態である場合には、供給電圧が基準電圧よりも高いときに点灯を維持し、供給電圧が基準電圧よりも低いときに消灯を維持する。状態情報出力部６１７は、出力対象の状態が「ＵＳＢ給電」の状態である場合には、給電がオンのときに点灯を維持し、給電がオフのときに消灯を維持する。状態情報出力部６１７は、出力対象の状態が「動作状態」の状態である場合には、動作が正常のときに点灯を維持し、動作が異常であるときに消灯を維持する。状態情報出力部６１７は、出力対象の状態が「通信状態」の状態である場合には、ネットワークインターフェイス６１４による通信が基盤システム３まで正常であるときに点灯を維持し、ゲートウェイ５まで正常であるときに複数回（一例として３回）分の点灯と複数回（一例として２回）分の消灯とを交互に行い、通信が異常であるときに消灯を維持し、ネットワークインターフェイス６１４が各ノードに問合せを行っているとき点灯と消灯を交互に行う。状態情報出力部６１７は、出力対象の状態が「予備」の状態である場合、つまり割り当てが行われていない状態である場合には、点灯または消灯の維持を行う。以上により、出力対象の状態の状態情報に応じた第２インジケーションが出力されて、出力対象の状態の確認が可能となる。
【００５３】
［４．インターフェイスモジュール６１の動作］
図４は、インターフェイスモジュール６１の動作を示す。インターフェイスモジュール６１は、ステップＳ１１〜Ｓ１９の処理を行うことにより、複数の状態を確認可能に出力する。
【００５４】
ステップＳ１１において切替部６１５は、スイッチ６１８に切り替え操作が入力されたことに応じて、複数種類の状態のなかで出力対象の状態を切り替える。本実施形態では一例として、切替部６１５は、押しボタンとしてのスイッチ６１８に第２基準時間未満のクリック操作が１回行われると識別番号「０」に対応する状態を出力対象とし、クリック操作が２回行われると識別番号「１」に対応する状態を出力対象とし、以降、同様にして、クリック操作が行われる毎に識別番号をインクリメントして出力対象を更新してよい。インクリメントされた識別番号が最大値（本実施形態では７）を超えた場合には、切替部６１５は、識別番号を「０」に戻して出力対象を更新してよい。切替部６１５は、スイッチ６１８に第２基準時間未満のクリック操作が第３基準時間（一例として１秒）未満の間隔で連続して行われると、つまりダブルクリック操作が行われると、出力対象の状態の識別番号をデクリメントしてもよいし、「０」にリセットしてもよい。
【００５５】
ステップＳ１３において識別情報出力部６１６は出力対象の状態の種類に応じた第１インジケーションを出力し、状態情報出力部６１７は出力対象の状態の状態情報に応じた第２インジケーションを出力する。なお、本実施形態では一例として、出力対象の状態の種類が切り換えられることに応じて状態検出手段がその状態情報を取得して記憶部６１３に記憶させることとして説明するが、定期的に状態情報が取得されて予め記憶部６１３に記憶されていてもよい。また、出力対象の状態の種類および状態情報がインジケーションとして出力される場合には、ネットワークインターフェイス６１４が当該出力対象の状態の種類および状態情報を基盤システム３または端末４に送信してよい。この場合、ネットワークインターフェイス６１４は、スイッチ６１８が操作された時刻を合わせて送信してよい。これにより、基盤システム３，端末４で状態情報の履歴、状態確認の作業履歴を確認することができる。ネットワークインターフェイス６１４は、センスデータを定期的に基盤システム３または端末４に送信している場合には、出力対象の状態の種類および状態情報を記憶部６１３に一時保存しておき、これらをセンスデータの送信時に合わせて送信してもよい。
【００５６】
ステップＳ１５において切替部６１５は、スイッチ６１８に切り替え操作が行われたか否かを判定する。ステップＳ１５において切り替え操作が行われたと判定した場合（ステップＳ１５；Ｙｅｓ）には、切替部６１５は上述のステップＳ１１に処理を移行する。この場合、識別情報出力部６１６および状態情報出力部６１７はインジケーションの出力を停止してよい。ステップＳ１５において切り替え操作が行われないと判定した場合（ステップＳ１５；Ｎｏ）には、切替部６１５はステップＳ１７に処理を移行する。なお、出力対象の状態が「通信状態」の状態であり（図３参照）、その状態情報として、ネットワークインターフェイス６１４による問合せ中であることを示す第２インジケーション（第２光源６１７０が交互に点灯および消灯を行う）が出力されている場合には、切替部６１５は問合わせが完了して通信状態の状態情報を示す第２インジケーションが出力されるまで、スイッチ６１８による切り替え操作を無効としてよい。これにより、基盤システム３や端末４から問合わせの回答が送信されたときに、その回答を確実に受信することができるため、回答がインターフェイスモジュール６１で受信されないことによるエラーを防止することができる。
【００５７】
ステップＳ１７において切替部６１５は、基準時間（第１基準時間）が経過したか否かを判定する。第１基準時間は一例として１０秒でよい。ステップＳ１７において第１基準時間が経過しないと判定した場合（ステップＳ１７；Ｎｏ）には切替部６１５は上述のステップＳ１５に処理を移行する。ステップＳ１７において第１基準時間が経過したと判定した場合（ステップＳ１７；Ｙｅｓ）には切替部６１５は、ステップＳ１９に処理を移行する。
【００５８】
ステップＳ１９において識別情報出力部６１６および状態情報出力部６１７はインジケーションの出力を終了する。これにより、ユーザによる操作が第１基準時間の間に入力されないことに応じて出力が終了するので、エネルギー消費を低減することができる。また、出力対象の状態をリセットして改めて選択することができる。
【００５９】
なお、以上の動作は、ネットワークデバイス６またはアプリケーションモジュール６０が設置された場合やメンテナンスされた場合などに状態確認のために行われてよく、各状態が確認された後に、切替部６１５、識別情報出力部６１６および状態情報出力部６１７はスイッチ６１８の操作により、或いは、ネットワークインターフェイス６１４を介した端末４または基盤システム３からの操作により、ディセーブルされてよい。ディセーブルされた後にスイッチ６１８にクリック操作が行われた場合には、識別情報出力部６１６の第１光源６１６０は、予め定められた時間（一例として５秒）だけ継続して点灯することにより、切替部６１５などがディセーブルされていることを操作者に報知してよい。
【００６０】
［５．変形例］
なお、上記の実施形態においては、インターフェイスモジュール６１は電源部６１１、通信部６１２、ネットワークインターフェイス６１４およびスイッチ６１８を有することとして説明したが、これらの少なくとも１つを有しないこととしてもよい。例えば、インターフェイスモジュール６１は、電源部６１１を有しない場合には、アプリケーションモジュール６０から給電を受けてもよいし、ネットワークデバイス６の外部から給電を受けてもよい。インターフェイスモジュール６１がスイッチ６１８を有しない場合には、切替部６１５が単位時間（一例として１０秒）ごとに出力対象の状態を切り替えてよい。
【００６１】
また、識別情報出力部６１６は第１光源６１６０を１つ有し、状態情報出力部６１７は第２光源６１７０を１つ有することとして説明したが、識別情報出力部６１６および状態情報出力部６１７の少なくとも一方が複数の光源を有してもよい。識別情報出力部６１６が複数の第１光源６１６０を有する場合には、第１制御部６１６１は、複数の第１光源６１６０のうち第１インジケーションに対応する配置パターンの第１光源６１６０を発光させてよい。一例として、識別情報出力部６１６は、並んで配置された３つの第１光源６１６０を有してよく、第１制御部６１６１は出力対象の状態の種類を識別させるための第１インジケーションとしての０から７の何れかの数を２進数によって出力するよう第１光源６１６０を発光させてよい。同様に、状態情報出力部６１７が複数の第２光源６１７０を有する場合には、第２制御部６１７１は、複数の第２光源６１７０のうち、状態情報の第２インジケーションに対応する配置パターンの第２光源６１７０を発光させてもよいし、状態情報そのものに対応する文字列や数値の配置パターンの第２光源６１７０を発光させてもよい。また、識別情報出力部６１６が単一の７セグメントディスプレイにおける一部の光源を第１光源６１６０として有し、状態情報出力部６１７が他の一部の光源を第２光源６１７０として有してもよい。図５は、７セグメントディスプレイ８を示す。７セグメントディスプレイ８は、数字を表示するための７個の光源８０と、小数点を表示するための１個の光源８１とを有する。７個の光源８０は第１光源６１６０であってよく、出力対象の状態を識別させるための第１インジケーションとして、出力対象の状態の識別番号を表示してよい。１個の光源８１は第２光源６１７０であってよく、上述の実施形態と同様にして、出力対象の状態の状態情報に応じた第２インジケーションを時系列パターンで表示してよい。これにより、単一の７セグメントディスプレイ８によって出力対象の状態の種類および状態情報を確認させることができるため、７セグメントディスプレイ８を複数用いる場合や、ドットマトリクスディスプレイを用いる場合と比較してインターフェイスモジュール６１のサイズや製造コスト、消費電力を低減することができる。
【００６２】
また、識別情報出力部６１６および状態情報出力部６１７は第１光源６１６０および第２光源６１７０を有することとして説明したが、識別情報出力部６１６および状態情報出力部６１７の少なくとも一方は、光源に加えて、または代えて、音または振動を発生する発生源を有してもよい。識別情報出力部６１６および状態情報出力部６１７のそれぞれが音の発生源を有する場合、または振動の発生源を有する場合には、これらの発生源は異なる波長の音または振動を発生させてよい。これらの発生源は、上記の実施形態と同様にしてインジケーションに対応する時系列パターンで音または振動を発生するよう制御されてよい。インジケーションが音または振動で発生する場合には、目の不自由なユーザに状態を確認させることができる。また、光が遮断された暗室にネットワークデバイス６が設置されている場合に、光を発生させずに状態を確認させることができる。状態情報出力部６１７は、音を発生させる発生源を有する場合には、状態情報そのものを音声として出力してもよい。
【００６３】
また、識別情報出力部６１６および状態情報出力部６１７は異なる波長の光、音、または振動を発生させることとして説明したが、第１インジケーションおよび第２インジケーション（または状態情報そのもの）が識別可能に出力される限りにおいて、同波長の光、音、または振動を発生させてもよい。一例として、識別情報出力部６１６の発生源と、状態情報出力部６１７の発生源とは、動作の継続時間が互いに異なるよう動作してもよいし、互いに離れて配置されてもよい。
【００６４】
また、識別情報出力部６１６および状態情報出力部６１７はインジケーションに対応する時系列パターンなどで光、音、または振動を発生させることとして説明したが、識別情報出力部６１６および状態情報出力部６１７の少なくとも一方は、インジケーションに対応する周波数で光、音、または振動を発生させてもよい。一例として、識別情報出力部６１６は、出力対象の状態の種類に対応する色の光を発生させてよい。
【００６５】
また、識別情報出力部６１６および状態情報出力部６１７はインジケーションに対応する光、音または振動を発生させることとして説明したが、識別情報出力部６１６および状態情報出力部６１７の少なくとも一方は、並んで配置された出没可能な複数のピンのうち、インジケーションに対応する配置のピンのみを突出させることでインジケーションを出力するピン出没装置を有してもよい。この場合には、目の不自由なユーザに状態を確認させることができる。また、光が遮断された暗室にネットワークデバイス６が設置されている場合に、光を発生させずに状態を確認させることができる。状態情報出力部６１７は、ピン出没装置を有する場合には、状態情報の点字パターンに対応する配置のピンを突出させて、状態情報そのものを出力してもよい。なお、識別情報出力部６１６および状態情報出力部６１７の少なくとも一方は、光源、音の発生源、振動の発生源、およびピン出没装置のうち何れか複数をインジケーション（または状態情報そのもの）の出力源として有する場合には、操作者による操作に応じて出力源を切り替えてよい。切り替え操作は音声によって行われてもよく、この場合には一例として、音声認識によって認識される音声の内容に応じた出力源により出力が行われてもよいし、音声の声紋に対応付けて予め登録された出力源により出力が行われてもよい。また、切り替え操作は操作者のタッチ操作により行われてもよい。この場合には、タッチ操作により認識される指紋に対応付けて予め登録された出力源により出力が行われてもよい。
【００６６】
また、識別情報出力部６１６および状態情報出力部６１７はインジケーション（または状態情報そのもの）を出力する別個の出力源（一例として第１光源６１６０および第２光源６１７０）を有することとして説明したが、共通の出力源を有してもよい。識別情報出力部６１６および状態情報出力部６１７が共通の出力源を有する場合には、第１インジケーションおよび第２インジケーション（または状態情報そのもの）を識別可能に出力するべく、出力期間を互いに相違させて出力を行ってよい。これに加え、出力源は第１インジケーションを出力する場合と、第２インジケーション（または状態情報そのもの）を出力する場合とで出力強度（一例として輝度、音量、振動の変位、ピンの変位）を相違させてよい。
【００６７】
また、切替部６１５は、スイッチ６１８にダブルクリック操作が行われた場合に出力対象の状態の識別番号をデクリメントまたは「０」にリセットすることとして説明したが、他の処理を行ってもよい。例えば、出力可能な複数の状態はインターフェイスモジュール６１の状態群と、アプリケーションモジュール６０の状態群とに分けられてよく、切替部６１５は、出力対象の状態が選択される状態群をダブルクリック操作に応じて切り替えてよい。また、出力可能な状態が９個以上存在する場合には、それらの状態は最大８個の状態群に分けられてよく、切替部６１５は、出力対象の状態が選択される状態群をダブルクリック操作に応じて切り替えてよい。これらの場合、第１光源６１６０および第２光源６１７０は、出力対象の状態が選択される状態群に応じて動作の単位時間を変更してもよい。
【００６８】
また、スイッチ６１８にダブルクリック操作が行われた場合に、切替部６１５が処理を行うこととして説明したが、インターフェイスモジュール６１における各構成のうち、切替部６１５とは異なる他の構成が処理を行ってもよい。例えば、ダブルクリック操作が行われた場合には、記憶部６１３が内部の設定データを初期化してもよいし、記憶部６１３が現在時刻を記憶してもよいし、ネットワークインターフェイス６１４が現在時刻を基盤システム３に送信してもよいし、ネットワークインターフェイス６１４が記憶部６１３からセンスデータを読み出して基盤システム３に送信してもよいし、ネットワークインターフェイス６１４がファームウェアをダウンロードしてもよいし、電源部６１１がアプリケーションモジュール６０への給電のオンオフを切り替えてもよい。ダブルクリック操作に応じて現在時刻が記憶部６１３に記憶される場合や、基盤システム３に送信される場合には、インターフェイスモジュール６１の状態確認の作業履歴を確認することができる。
【００６９】
また、切替部６１５はスイッチ６１８にクリック操作が行われた場合と、ダブルクリック操作が行われた場合とで別々の処理を行うこととして説明したが、トリプルクリック操作が行われた場合に更に別の処理を行うこととしてもよい。
【００７０】
また、装置をインターフェイスモジュール６１として説明したが、インターフェイスモジュール６１およびアプリケーションモジュール６０が一体化されたネットワークデバイス６としてもよいし、ネットワーク２に接続されないローカルデバイス（一例として洗濯機や炊飯器などの家電製品）としてもよい。
【００７１】
また、記憶部６１３が状態情報に加え、センスデータや制御データを記憶することとして説明したが、センスデータおよび制御データを記憶しなくてもよい。
【００７２】
また、本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、およびコンピュータ可読媒体上に格納されるコンピュータ可読命令と共に供給されるプロセッサの少なくとも１つによって実装されてよい。専用回路は、デジタルおよびアナログの少なくとも一方のハードウェア回路を含んでよく、集積回路（ＩＣ）およびディスクリート回路の少なくとも一方を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００７３】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００７４】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたコードまたはオブジェクトコードのいずれかを含んでよい。
【００７５】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００７６】
図６は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、これに加えて、またはこれに代えて、コンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【００７７】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インターフェイス２２２２、ハードディスクドライブ２２２４、ＤＶＤ−ＲＯＭドライブ２２２６、およびＩＣカードドライブのような入出力ユニットを含み、それらは入出力コントローラ２２２０を介してホストコントローラ２２１０に接続されている。コンピュータはまた、ＲＯＭ２２３０およびキーボード２２４２のようなレガシの入出力ユニットを含み、それらは入出力チップ２２４０を介して入出力コントローラ２２２０に接続されている。
【００７８】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【００７９】
通信インターフェイス２２２２は、ネットワークを介して他の電子デバイスと通信する。ハードディスクドライブ２２２４は、コンピュータ２２００内のＣＰＵ２２１２によって使用されるプログラムおよびデータを格納する。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。ＩＣカードドライブは、プログラムおよびデータをＩＣカードから読み取り、これに加えて、またはこれに代えてプログラムおよびデータをＩＣカードに書き込む。
【００８０】
ＲＯＭ２２３０はその中に、アクティブ化時にコンピュータ２２００によって実行されるブートプログラム等、およびコンピュータ２２００のハードウェアに依存するプログラムの少なくとも１つを格納する。入出力チップ２２４０はまた、様々な入出力ユニットをパラレルポート、シリアルポート、キーボードポート、マウスポート等を介して、入出力コントローラ２２２０に接続してよい。
【００８１】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【００８２】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インターフェイス２２２２に対し、通信処理を命令してよい。通信インターフェイス２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【００８３】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【００８４】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索，置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８５】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【００８６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８８】
１  システム、２  ネットワーク、３  基盤システム、４  端末、５  ゲートウェイ、６  ネットワークデバイス、８  ７セグメントディスプレイ、６０  アプリケーションモジュール、６１  インターフェイスモジュール、６００  通信コネクタ、６１０  通信コネクタ、６１１  電源部、６１２  通信部、６１３  記憶部、６１４  ネットワークインターフェイス、６１５  切替部、６１６  識別情報出力部、６１７  状態情報出力部、６１８  スイッチ、６２０  取付面、６１６０  第１光源、６１６１  第１制御部、６１７０  第２光源、６１７１  第２制御部、８０  光源、８１  光源、２２００  コンピュータ、２２０１  ＤＶＤ−ＲＯＭ、２２１０  ホストコントローラ、２２１２  ＣＰＵ、２２１４  ＲＡＭ、２２１６  グラフィックコントローラ、２２１８  ディスプレイデバイス、２２２０  入出力コントローラ、２２２２  通信インターフェイス、２２２４  ハードディスクドライブ、２２２６  ＤＶＤ−ＲＯＭドライブ、２２３０  ＲＯＭ、２２４０  入出力チップ、２２４２  キーボード、６０００  ケース、６００１  通信コネクタ、６００２  電源コネクタ、６００３  入出力コネクタ、６００４  開口部、６００５  台座、６００６  ネジ穴部、６００７  取付用タップ、６００８  ネジ部、６００９  マグネット、６１００  ケース、６１０１  通信コネクタ、６１０２  電源コネクタ、６１０４  突起部
【図１】
2020021247.tif 000003
【図２】
2020021247.tif 000004
【図３】
2020021247.tif 000005
【図４】
2020021247.tif 000006
【図５】
2020021247.tif 000007
【図６】
2020021247.tif 000008
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
複数種類の状態の状態情報を記憶する記憶部と、
ユーザによる切り替え操作が入力されたことに応じて、前記複数種類の状態のうち出力対象の状態を切り替える切替部と、
前記出力対象の状態の種類を識別させるための第１インジケーションを出力する識別情報出力部と、
前記出力対象の状態の状態情報を出力する状態情報出力部と、
を備え、
前記複数種類の状態は、当該装置に接続される機器の状態を含む装置。
【請求項２】
前記複数種類の状態は、当該装置の状態をさらに含む、請求項１に記載の装置。
【請求項３】
複数種類の機器のそれぞれと択一的に接続可能である、請求項１または２に記載の装置。
【請求項４】
前記識別情報出力部は、
光、音または振動を発生する少なくとも１つの第１発生源と、
前記第１発生源を前記第１インジケーションに対応するパターンで動作させる第１制御部と、
を有する、請求項１から３のいずれか一項に記載の装置。
【請求項５】
前記状態情報出力部は、
光、音または振動を発生する少なくとも１つの第２発生源と、
前記第２発生源を前記出力対象の状態の状態情報に応じた第２インジケーションに対応するパターンで動作させる第２制御部と
を有する、請求項４に記載の装置。
【請求項６】
前記識別情報出力部は、単一の前記第１発生源を有し、
前記状態情報出力部は、単一の前記第２発生源を有し、
前記第１制御部は、前記第１発生源を前記第１インジケーションに対応する時系列パターンで動作させ、
前記第２制御部は、前記第２発生源を前記第２インジケーションに対応する時系列パターンで動作させる、請求項５に記載の装置。
【請求項７】
前記状態情報出力部および前記識別情報出力部は、ユーザによる操作が予め定められた第１基準時間の間に入力されないことに応じて出力を終了する、請求項１から６のいずれか一項に記載の装置。
【請求項８】
ユーザによる操作を受ける単一のスイッチと、
前記スイッチに第２基準時間以上継続する操作が入力されたことに応じて、電力供給のオンオフを切り替える電源部とを更に備え、
前記切替部は、前記スイッチに前記第２基準時間未満の前記切り替え操作が入力されたことに応じて前記出力対象の状態を切り替える、請求項１から７のいずれか一項に記載の装置。
【請求項９】
前記機器は、センサ、アクチュエータ、入力ポート、出力ポート、入出力ポート、およびユーザインターフェイスの少なくとも１つを有するアプリケーションモジュールであり、
当該装置は、
前記アプリケーションモジュールが有するアプリケーションモジュール側通信コネクタに着脱可能に接続されるインターフェイスモジュール側通信コネクタと、
ネットワークに接続されるネットワークインターフェイスと、
を有するインターフェイスモジュールである、請求項１から８のいずれか一項に記載の装置。
【請求項１０】
装置において実行される方法であって、
複数種類の状態の状態情報を記憶する記憶段階と、
ユーザによる切り替え操作が入力されたことに応じて、前記複数種類の状態のうち出力対象の状態を切り替える切替段階と、
前記出力対象の状態の種類を識別させるための第１インジケーションを出力する識別情報出力段階と、
前記出力対象の状態の状態情報を出力する状態情報出力段階と、
を備え、
前記複数種類の状態は、当該装置に接続される機器の状態を含む方法。
【請求項１１】
コンピュータを、
複数種類の状態の状態情報を記憶する記憶部と、
ユーザによる切り替え操作が入力されたことに応じて、前記複数種類の状態のうち出力対象の状態を切り替える切替部と、
前記出力対象の状態の種類を識別させるための第１インジケーションを出力する識別情報出力部と、
前記出力対象の状態の状態情報を出力する状態情報出力部
として機能させ、
前記複数種類の状態は、当該コンピュータに接続される機器の状態を含むプログラム。